(57)【要約】【課題】  組み合わせて使用することにより、実射弾数のカウントが確実に行えることになる小火器及び実射弾数計測装置を、提供する。【解決手段】  ガス利用式機関銃等の小火器１０に、銃身内の圧力変化を検出するための圧力センサ１２を取り付けておき、小火器１０の圧力センサ１２に、当該圧力センサ１２の出力に基づき実射弾数を計測する実射弾数計測装置２０を接続することにより、小火器１０の実射弾数をカウントする。【選択図】  図１
2006078148.tif 000002
【特許請求の範囲】
【請求項１】
発射弾数を検出するためのセンサとして、銃身内の圧力変化を検出するための圧力センサが、取り付けられている
ことを特徴とする小火器。
【請求項２】
ガス漏口が設けられている銃身と、
前記銃身の前記ガス漏口と繋がった空間を有し、弾が発射された際の，当該空間のガス圧を利用してボルトを後退させるためのガス利用機構とを、備え、
前記ガス利用機構に、前記空間の圧力変化を検出するための圧力センサが、取り付けられている
ことを特徴とする小火器。
【請求項３】
銃身内の圧力変化を検出するための圧力センサが取り付けられている小火器の圧力センサにケーブルにて接続される実射弾数計測装置であって、
実射弾数を記憶しておくための記憶手段と、
ケーブルにて接続されている前記圧力センサが所定値以上の圧力を検出する度に、前記記憶手段に記憶されている実射弾数を１だけ増加させる計数手段と、
前記記憶手段に記憶されている実射弾数を出力するための出力手段と、
前記記憶手段に記憶されている実射弾数をゼロに変更するためのゼロクリア手段と
を、備えることを特徴とする実射弾数計測装置。
【請求項４】
前記出力手段が、前記記憶手段に記憶されている実射弾数を表示する手段である
ことを特徴とする請求項３記載の実射弾数計測装置。
【請求項５】
前記出力手段が、前記記憶手段に記憶されている実射弾数を外部装置に対して出力する手段である
ことを特徴とする請求項３記載の実射弾数計測装置。
【請求項６】
前記出力手段が、前記記憶手段に記憶されている実射弾数を外部装置に対して出力する機能と、前記記憶手段に記憶されている実射弾数を表示する機能とを有する手段である
ことを特徴とする請求項３記載の実射弾数計測装置。
【請求項７】
前記ゼロクリア手段が、実射弾数をゼロとすることを要求するコマンドが外部装置から送信されてきたときに機能する手段である
ことを特徴とする請求項３乃至請求項６のいずれかに記載の実射弾数計測装置。
【発明の詳細な説明】
【技術分野】
【０００１】
本発明は、小火器と実射弾数計測装置とに関する。
【背景技術】
【０００２】
日本の自衛隊では、安全管理を徹底するために、小火器（主として、機関銃）の射撃訓練を行う際，実際に発射した弾の数（以下、実射弾数と表記する）をカウントしているが、この作業を人手により行うのは極めて大変なことである。
【０００３】
このため、射撃時における小火器の振動（射撃時に小火器に加わる加速度）を検出することにより実射弾数をカウントする技術（特許文献１参照。）や、射撃時における小火器の振動及び射撃音を検出することにより実射弾数をカウントする技術（特許文献２参照。）が、開発されている。
【０００４】
しかしながら、小火器の振動という現象は、射撃時以外（例えば、小火器を何かにぶつけてしまった時）にも生じ得る現象である。このため、前者の技術（小火器の振動のみを検出することにより実射弾数をカウントする技術）は、実射弾数を正確にカウントできない場合が結構あるものとなっている。
【０００５】
一方、射撃音も検出する後者の技術は、原則として、小火器を何かにぶつけてしまっただけでは、射撃が行われたと判定しない技術となっている。ただし、この技術も、小火器を何かにぶつけてしまった時に射撃音相当の音（小火器を何かにぶつけたことにより生じた音，他の小火器の射撃音等）が発生すれば、射撃が行われたと誤認識してしまう技術となっている。
【特許文献１】特開２００２−２７７１９３号公報
【特許文献２】特開平１０−８９８８４号公報
【発明の開示】
【発明が解決しようとする課題】
【０００６】
そこで、本発明の課題は、それらを組み合わせることにより、実射弾数のカウントが確実に行えることになる小火器及び実射弾数計測装置を、提供することにある。
【課題を解決するための手段】
【０００７】
上記課題を解決するために、本発明では、小火器を、発射弾数を検出するためのセンサとして、銃身内の圧力変化を検出するための圧力センサが、取り付けられているもの（請求項１）や、ガス漏口が設けられている銃身と、銃身のガス漏口と繋がった空間を有し、弾が発射された際の，当該空間のガス圧を利用してボルトを後退させるためのガス利用機構とを、備え、ガス利用機構に、空間の圧力変化を検出するための圧力センサが、取り付けられているもの（請求項２）として構成（製造）しておく。また、そのような構成の小火器の圧力センサにケーブルにて接続される実射弾数計測装置を、実射弾数を記憶しておくための記憶手段と、ケーブルにて接続されている圧力センサが所定値以上の圧力を検出する度に、記憶手段に記憶されている実射弾数を１だけ増加させる計数手段と、記憶手段に記憶されている実射弾数を出力するための出力手段と、記憶手段に記憶されている実射弾数をゼロに変更するためのゼロクリア手段とを、備えた装置として構成（製造）しておく。
【０００８】
このような構成を有する本発明の小火器と本発明の実射弾数計測装置とを組み合わせて（本発明の小火器の圧力センサと、本発明の実射弾数計測装置とを接続して）使用すれば、銃身内の圧力が所定値以上となる度に、実射弾数計測装置の記憶手段に記憶されている実射弾数が１インクリメントされることになる。そして、銃身内の圧力が所定値以上となるという現象は、射撃時以外には生じ得ない現象であるので、本発明の小火器と実射弾数計測装置とを組み合わせて使用すれば、実射弾数（ゼロクリア手段が機能した後に実射された弾の数）を確実に（間違いなく）カウントできることになる。
【０００９】
なお、本発明の実射弾数計測装置を実現するに際しては、出力手段として、記憶手段に記憶されている実射弾数を表示する手段を採用することも出来る。ただし、実射弾数の表示のみが行われるように実射弾数計測装置を構成したのでは、多数の小火器の実射弾数を管理する際に、多数の実射弾数計測装置のそれぞれに表示されている実射弾数を人間が読み取って記録しなければならなくなる。このため、実射弾数計測装置の出力手段としては、記憶手段に記憶されている実射弾数を外部装置に対して出力する手段や、記憶手段に記憶されている実射弾数を外部装置に対して出力する機能と、記憶手段に記憶されている実射弾数を表示する機能とを有する手段を、採用しておくことが望ましい。
【００１０】
また、本発明の実射弾数計測装置を実現するに際しては、ゼロクリア手段を、実射弾数計測装置に対する操作により機能させることが可能なものとしておくことも出来る。ただし、ゼロクリア手段をそのようなものとしておいた場合には、誤操作が行われることが考えられるので、ゼロクリア手段は、実射弾数をゼロとすることを要求するコマンドが外部装置から送信されてきたときにのみ機能する手段としておくことが望ましい。
【発明を実施するための最良の形態】
【００１１】
以下、本発明を実施するための最良の形態を、図面を参照して詳細に説明する。
【００１２】
図１（Ａ），（Ｂ）に示してあるように、本発明の一実施形態に係る小火器１０は、ガス利用機構１１を備えた小火器（いわゆる，ガス利用式機関銃）に、銃身内の圧力を検出するための圧力センサ１２を取り付けたものである。
【００１３】
なお、ガス利用機構１１とは、射撃時に発生する燃焼ガス（銃身に設けられているガス漏口から流入されるガス；図１（Ｂ）の矢印参照）を利用してボルト（遊底）を後退させるための機構のことである。図１（Ｂ）に示してあるように、本実施形態に係る小火器１０は、圧力センサ１２が、ガス利用機構１１の，規制子（外部へ逃がすガス量を調整することにより、発射速度を調整するための部材）が設けられている部分に、取り付けられたものとなっている。
【００１４】
一方、本発明の一実施形態に係る実射弾数計測装置２０は、実射弾数を計測する際には、小火器１０の圧力センサ１２にケーブルにて接続されて使用され（図１（Ａ）参照）、計測した実射弾数を集計する際には、コンピュータに接続されて使用される装置である。なお、実射弾数計測装置２０は、小火器１０の使用者のベルト等に取り付けることが可能な形状のものとなっている。
【００１５】
そして、この実射弾数計測装置２０は、図２に示してあるように、ＬＣＤ（liquid crystal display）２１と不揮発性記憶部２２と実射弾数計数部２３と実射弾数出力部２４とを備えた装置となっている。
【００１６】
実射弾数計測装置２０が備える不揮発性記憶部２２は、実射弾数を記憶しておくための不揮発性メモリ（本実施形態では、バッテリバックアップされたメモリ）である。実射弾数計数部２３は、圧力センサ１２による圧力の検出結果が所定値以上となったときに、不揮発性記憶部２２に記憶されている実射弾数（数値）を“１”だけ増加させるユニット（回路）である。なお、射撃時における圧力センサ１２の出力変化は、図３に例示したように、急峻なもの（半値幅が狭いもの／ノイズの影響を受けないもの）であるため、実射弾数計測装置２０は、実射弾数計数部２３として、極めて簡単な構成の回路を採用したものとなっている。
【００１７】
実射弾数出力部２４（図２）は、不揮発性記憶部２２に記憶されている実射弾数を表す数字列をＬＣＤ２１に表示させるユニット（回路）である。この実射弾数出力部２４は、コンピュータから実射弾数出力コマンドが入力された時に、不揮発性記憶部２２に記憶されている実射弾数を表す情報を当該コンピュータに対して返送する機能や、コンピュータからゼロクリアコマンドが入力された時に、不揮発性記憶部２２に記憶されている実射弾数を“０”に変更する機能も、有している。
【００１８】
以上の説明から明らかなように、小火器１０と実射弾数計測装置２０とは、それらを接続おけば、小火器１０の銃身内の圧力が所定値以上となる度に、実射弾数計測装置２０の不揮発性記憶部２２に記憶されている実射弾数が１インクリメントされるシステムを形成できるものとなっている。そして、銃身内の圧力が所定値以上となるという現象は、射撃時だけに生じる現象であるので、本実施形態に係る小火器１０及び実射弾数計測装置２０を用いれば、実射弾数を確実に（間違いなく）カウントできることになる。
【００１９】
また、実射弾数計測装置２０は、計測した実射弾数をコンピュータに出力できるように、構成されている。このため、本実施形態に係る小火器１０及び実射弾数計測装置２０を用いれば、多数の小火器１０の実射弾数を集計することが容易に行えることにもなる。
【００２０】
さらに、実射弾数計測装置２０は、実射弾数計測装置２０に対する操作では、実射弾数をゼロクリアすることが出来ないようにも、構成されている。このため、本実施形態に係る小火器１０及び実射弾数計測装置２０を用いれば、各実射弾数計測装置２０の装備者が誤って実射弾数をゼロクリアしてしまうことがない形で、各小火器１０による実射弾数を管理できることにもなる。
【００２１】
＜変形形態＞
上記した小火器１０，実射弾数計測装置２０は、各種の変形を行うことが出来る。例えば、実射弾数計測装置２０をＬＣＤ２１を備えないものに変形することが出来る。また、小火器１０を、圧力センサ１２が、上記したものとは異なる位置（ただし、銃身内のガス圧相当のガス圧が検出可能な位置）に取り付けられたものに変形することも出来る。
【００２２】
また、小火器１０で用いられている技術は、火薬の爆発力を利用して弾を発射するどのような火器にも適用できるものであるので、この技術を用いて他の種類の火器を製造しても良い。ただし、ガス利用機構１１相当の機構が付いていない火器に、本技術を適用する際には、銃身に穴（ガス漏口相当の穴）をあける必要が生ずることになる。従って、本技術は、ガス利用式機関銃等（ガス利用機構１１相当の機構が元々付いている火器）の実射弾数を計測するために用いるのが、特に適した技術となっていると言うことも出来る。
【図面の簡単な説明】
【００２３】
【図１】本発明の一実施形態に係る小火器及び実射弾数計測装置の説明図。
【図２】実施形態に係る実射弾数計測装置の構成図。
【図３】実施形態に係る小火器に取り付けられている圧力センサによる圧力の検出結果の一例を示した図。
【符号の説明】
【００２４】
１０  小火器
１１  ガス利用機構
１２  圧力センサ
２０  実射弾数計測装置
２１  ＬＣＤ
２２  不揮発性記憶部
２３  実射弾数計数部
２４  実射弾数出力部
【図１】
2006078148.tif 000003
【図２】
2006078148.tif 000004
【図３】
2006078148.tif 000005